(57)【特許請求の範囲】
【請求項１】
上階と下階の間に設けられる床を備え、床は、複数本のデッキ材を前後に間隔をあけて平行に設けて形成してあり、デッキ材は、上側面と、下側面と、前側面と、後側面と、取付片を有し、上側面と下側面が平行であり、前側面が上側面と下側面を連結していて上から下に向けて後側に傾斜しており、後側面が上側面と下側面を連結しており、取付片が下側面の後端から後側に突出しており、隣接するデッキ材において、前側のデッキ材の取付片の後端部と、後側のデッキ材の前側上端部が、上下方向に重なっているか、又は上下方向の同一直線上に位置しており、前後のデッキ材の上側面同士の間隔が、光を取り込みつつ指が落ちない間隔としてあり、前側のデッキ材の取付片と、後側のデッキ材の下側面の間隔が、前後のデッキ材の上側面同士の間隔よりも広いことを特徴とする簡易構造物。
【発明の詳細な説明】
【技術分野】
【０００１】
本発明は、バルコニーなどの床を備える簡易構造物に関する。
【背景技術】
【０００２】
バルコニーなど、上階と下階の間に設けられる床を備える簡易構造物において、従来、特許文献１に示すように、長尺のデッキ材を複数本並べて、床を形成したものがある。
【先行技術文献】
【特許文献】
【０００３】
【特許文献１】特開２００２−７０１４６号公報
【発明の概要】
【発明が解決しようとする課題】
【０００４】
しかしながら、特許文献１のバルコニーの床は、当該公報の図５に示すように、デッキ材を隙間なく並べて形成されており、完全に光を遮断するものであった。バルコニーの下側には、建築物の下階の窓が面していることも多いので、バルコニーの下方空間に光を採り入れることができなくなる点が問題であった。
【０００５】
本発明は、上記事情を鑑みたものであり、床の下方空間に光を採り入れることができる簡易構造物を提供することを目的とする。
【課題を解決するための手段】
【０００６】
本発明は、上階と下階の間に設けられる床を備え、床は、複数本のデッキ材を前後に間隔をあけて平行に設けて形成してあり、デッキ材は、上側面と、下側面と、前側面と、後側面と、取付片を有し、上側面と下側面が平行であり、前側面が上側面と下側面を連結していて上から下に向けて後側に傾斜しており、後側面が上側面と下側面を連結しており、取付片が下側面の後端から後側に突出しており、隣接するデッキ材において、前側のデッキ材の取付片の後端部と、後側のデッキ材の前側上端部が、上下方向に重なっているか、又は上下方向の同一直線上に位置しており、前後のデッキ材の上側面同士の間隔が、光を取り込みつつ指が落ちない間隔としてあり、前側のデッキ材の取付片と、後側のデッキ材の下側面の間隔が、前後のデッキ材の上側面同士の間隔よりも広いことを特徴とする。
【発明の効果】
【０００７】
本発明によれば、デッキ材を前後に間隔をあけて設けてあるので、デッキ材同士の隙間から採光することができる。また、デッキ材の前側面が上から下に向けて後側に傾斜しており、隣接するデッキ材において、前側のデッキ材の取付片の後端部と、後側のデッキ材の前側上端部が、上下方向に重なっているか、又は上下方向の同一直線上に位置しているので、垂直方向には視線が通らず、床の上下間でプライバシーが保護される。さらに、デッキ材同士の隙間は上側より下側が広くなっており、上側から射し込む光が、隙間を通り抜けて下方空間に拡散するので、より採光性が高い。そして、前後のデッキ材の上側面同士の間隔は、指が落ちない間隔としてあるので、安全性が高い。
【図面の簡単な説明】
【０００８】
【図１】バルコニー（簡易構造物）の床の前後方向断面図である。
【図２】バルコニーの床の左右方向断面図である。
【図３】床（デッキ材）の拡大断面図である。
【図４】バルコニーの前後方向断面図である。
【図５】バルコニーの正面図である。
【図６】バルコニーの下方空間の採光についての説明図である。
【発明を実施するための形態】
【０００９】
以下、本発明の実施の形態を図面に基づいて説明する。この簡易構造物は、種々の用途に用いられるものであるが、ここでは、建築物の外壁部に設けられるバルコニーの場合を示す。このバルコニーは、図１に示すように、建築物の躯体１００の前側に設けられるものであって、躯体１００側を後側、バルコニーが突出する側を前側とする。また、バルコニーを前側から見た状態を基準として、左右方向を定める（図２、図５）。
【００１０】
図１及び図２に示すように、このバルコニーは、床１と、梁３と、桁４と、樋５と、根太６と、格子体７を備える。梁３は、断面略矩形の形材からなり、躯体１００の壁面に対して垂直な向きに固定してあって、前側に向けて延びており、左右に離隔して二本設けてある。そして、両梁３の前端部に、桁４を横架してある。桁４も、断面略矩形の形材からなり、躯体１００の壁面と平行に延びている。また、梁３の内側面（左側の梁３の右側面及び右側の梁３の左側面）には、樋５を取り付けてある、樋５は、上向きに開口する溝状のものであって、左右の壁面の上端部には、樋５の内側に向けて延出する延出片５１，５２を形成してある。ただし、樋５の外側（左の樋５の左側及び右の樋５の右側）の延出片５１の方が高い位置にある。また、樋５の前端部の下面には、水を流すための排水管５３を接続してある。さらに、左右の梁３の間には、複数本の根太６を設けてある。根太６は、梁３と平行に延びるものであって、躯体１００と桁４に横架してあり、等間隔に複数本設けてある。なお、樋５と根太６は、後側から前側に向けて下方に傾斜している。
【００１１】
そして、樋５及び根太６の上側に、床１を設けてある。床１は、左右に延びる複数本のデッキ材２を、前後に間隔をあけて平行に設けて形成してある。デッキ材２は、形材からなるものであって、図３に示すように、上側面２１と、下側面２２と、前側面２３と、後側面２４と、取付片２５を有する。上側面２１と下側面２２は平行であり、前側面２３が上側面２１と下側面２２を連結していて上から下に向けて後側に傾斜しており、後側面２４が上側面２１と下側面２２を連結していて上側面２１及び下側面２２に直交しており、四つの面で台形を形成している。なお、デッキ材２は、傾斜する樋５及び根太６の上に設けてあるので、デッキ材２の上側面２１及び下側面２２も、同様に後側から前側に向けて下方に傾斜している。また、取付片２５は、下側面２２の後端から後側（下側面２２と同じ向き）に突出している。そして、隣接するデッキ材２において、前側のデッキ材２の取付片２５の後端部よりも、後側のデッキ材２の前側上端部の方が前側に位置しており、上下方向に重なっている。また、前後のデッキ材２の上側面２１同士の間隔Ｇ１が、光を取り込みつつ指が落ちない間隔としてある。さらに、前側のデッキ材２の取付片２５と、後側のデッキ材２の下側面２２の間隔Ｇ２が、前後のデッキ材２の上側面２１同士の間隔Ｇ１よりも広くなっている。このようにして、上階（二階）と下階（一階）の間に設けられる床１が形成される。図６に示すように、このバルコニーは、二階の窓Ｗ２に面して設けられ、床１の高さは二階の床の高さと略同じであり、バルコニーの下側には、一階の窓Ｗ１が面している。
【００１２】
なお、デッキ材２は、所定本数（本実施形態では五本）をユニット化してあり、これを並べて、床１を形成する。より詳しくは、デッキ材２の下側面２２に、デッキ材２と直交する方向（前後方向）に延びる連結材２６を当接させ、下側からネジ止めして固定してある。連結材２６は、五本のデッキ材２に跨るものであり、樋５の内側の延出片５２と、根太６の位置に設けてある。そして、連結材２６を、樋５の内側の延出片５２及び根太６に載置するようにして、ユニット化したデッキ材２を配置し、上側から、取付片２５を樋５の延出片５２及び根太６にネジ止めして固定する。このようにしてデッキ材２を取り付けると、デッキ材２の左右端部は、樋５の開口部の上方に位置する。樋５の外側の延出片５１は、デッキ材２の上側面２１よりも高い位置にあり、この延出片５１に、平板状の樋カバー５４をネジ止めして、デッキ材２の左右端部及び樋５を覆い隠してある。樋カバー５４とデッキ材２の上側面２１の間には隙間を設けてあり、雨水などがデッキ材２の上側面２１から樋５に流入するようになっている。
【００１３】
ここで、前後のデッキ材２の上側面２１同士の間隔Ｇ１について、詳述する。上記のとおり、この間隔Ｇ１は、光を取り込みつつ指が落ちない間隔としてあるが、具体的には、５〜１５ｍｍとすることが望ましい。このうち下限値については、必要最低限の採光性を確保するという目的から、５ｍｍとしてある。また、上限値については、子供の親指の太さ（第一指爪基部高）を基準としてある。「平成２０年度機械製品の安全性向上のための子どもの身体特性データベースの構築及び人体損傷状況の可視化シミュレーション技術の調査研究報告書」（社団法人日本機械工業連合会、社団法人人間生活工学研究センター、平成２１年２月）によれば、０歳児の第一指爪基部高は、１０．２ｍｍ（男女平均値）となっている。よって、間隔Ｇ１を１０ｍｍとすれば、乳児であっても、指が落ちることはない。また、１０歳以上の子供（年齢平均値１０．８３）の第一指爪基部高は、１６．３ｍｍ（男女平均値）となっている。よって、小さい子供が使用する可能性のない環境では、間隔Ｇ１を１５ｍｍとすれば、指が落ちることはない。以上より、前後のデッキ材２の上側面２１同士の間隔Ｇ１は、５〜１５ｍｍとすることが望ましく、さらに小さい子供が使用する環境においては、５〜１０ｍｍとすることが望ましい。そして、できるだけ多くの光を取り込みつつ、小さな子供でも指が落ちないようにするためには、間隔Ｇ１の値は１０ｍｍが最適である。
【００１４】
また、床１の周囲には、格子体７を設けてある。格子体７は、格子材８と、柱９を備える。柱９は、桁４の左右両端位置と、その中間の桁４を三等分する位置、さらに梁３の躯体１００近傍に立設してある。そして、柱９の外側面に、直線上に並ぶ柱９を横架するように、水平方向に延びる複数本の格子材８を、上下に間隔をあけて平行に設けてある。図１に示すように、格子材８は、上側面８１と、下側面８２と、前側面８３と、後側面８４を有する。上側面８１と下側面８２は平行で外側（前側）から内側（後側）に向けて下向きに傾斜しており、前側面８３と後側面８４は平行で垂直向きであって、四つの面で平行四辺形を形成している。図２に示すように、梁３側（左右側）に設けた格子体７の構成も、同様である。そして、上下に並ぶ格子材８のうち、下側の略２／３の格子材８は、後側面８４の下端から下側に突出する垂下片８５を有する。上下に隣接する格子材８において、上側の格子材８の垂下片８５と、下側の格子材８の後側面８４の間隔が狭くなっていて、格子材８に足を掛けることができなくなっており、転落事故を防いでいる。また、垂下片８５は、下側の格子材８の前側面８３の上端近傍まで延びており、正面視すると、上下の格子材８の間に僅かな隙間がある状態となる。この格子体７の下側部分を前側下方から見ると、垂下片８５と、下側の格子材８の前側面８３が重なるので、前側下方からの視線が遮断される。一方、前側上方から見ると、垂下片８５と下側の格子材８の間に隙間があるので、前側上方からの採光は確保される。
【００１５】
このように構成したバルコニー（簡易構造物）においては、床１を構成するデッキ材２が前後に間隔をあけて設けてあり、また格子体７を構成する格子材８が上下に間隔をあけて設けてあり、さらにデッキ材２の前側面２３と、格子材８の上側面８１及び下側面８２が、同じ向きに傾斜しているので、図６に示すように、前側上方から射し込む光が、格子体７の格子材８同士の隙間及び床１のデッキ材２同士の隙間を透過する。よって、床１の下方空間に光が届き、バルコニーの下側の下階（一階）の窓Ｗ１にも光を採り入れることができる。また、デッキ材２の前側面２３が上から下に向けて後側に傾斜しており、隣接するデッキ材２において、前側のデッキ材２の取付片２５の後端部と、後側のデッキ材２の前側上端部が、上下方向に重なっているので、垂直方向には視線が通らず、床１の上下間でプライバシーが保護される。さらに、デッキ材２同士の隙間は上側より下側が広くなっており、上側から射し込む光が、隙間を通り抜けて下方空間に拡散するので、より採光性が高い。そして、前後のデッキ材２の上側面２１同士の間隔は、指が落ちない間隔としてあるので、安全性が高い。
【００１６】
本発明は、上記の実施形態に限定されない。たとえば、前後に隣接するデッキ材において、前側のデッキ材の取付片の後端部と、後側のデッキ材の前側上端部は、上下方向に重なっていなくても、上下方向の同一直線上に位置していれば、垂直方向の視線を遮断できる。また、デッキ材の前側面の傾斜角度と、格子材の上側面及び下側面の傾斜角度を同一にすることで、より光を透過させやすくしてもよい。さらに、格子体に替わって、パネル体や網体を床の周囲に立設してもよいが、少なくとも、床の前側に立設するものは、光を通すものであることが望ましい。
【符号の説明】
【００１７】
１  床
２  デッキ材
２１  上側面
２２  下側面
２３  前側面
２４  後側面
２５  取付片
【図１】
0006258149.tif 000002
【図２】
0006258149.tif 000003
【図３】
0006258149.tif 000004
【図４】
0006258149.tif 000005
【図５】
0006258149.tif 000006
【図６】
0006258149.tif 000007